(57)【要約】【課題】石膏を用いず、簡単に作業模型の咬合器への固定を可能とし、しかも歯科技工作業を円滑に遂行することのできる技術を提供する。【解決手段】歯型部１１とベース部１２とからなる作業模型１０の、ベース部１２側面の対向する２箇所にディンプル１２ａを設ける。咬合器３０を上下から挟み込むことで装着固定具２０を、上板と下板から形成し、咬合器３０の支持部３１ａを上下から挟み込んで咬合器３０に装着する。上板には、Ｌ字片２１ａとゲート部２１ｂを設け、下板には、可撓部２２ｂを介して差込片２２ｃを連結する。一方ディンプル１２ａに、Ｌ字片２１ａを差し込み、他方ディンプル１２ａに、ゲート部２１ｂの中空部を介して差込片２２ｃを差し込むことにより、簡単にしかも強固に作業模型１０を咬合器３０に固定でき、そのうえ、歯型部１１に固定具２０が覆い被さらないため、歯科技工作業の邪魔にならない。【選択図】図５
0003118467.tif 000002
【実用新案登録請求の範囲】
【請求項１】
歯科技工用作業模型と、咬合器に装着して前記作業模型を咬合器に固定する固定具とからなる作業模型固定セットにおいて、前記作業模型は歯型部とベース部とからなり、ベース部にディンプルを設け、前記固定具は、咬合器への装着手段を有する基板と、前記作業模型のディンプルに差し込んで固定する差込固定手段とを有することを特徴とする作業模型固定セット。
【請求項２】
上記固定具の基板は上板と下板に分割され、上板および下板の一方または双方に爪を設け、上板および下板の一方または双方の前記爪に対応する位置にスリットを設け、前記爪が前記スリットに係合して上板と下板とを固定可能とした請求項１に記載の作業模型固定セット。
【請求項３】
上記固定具の基板は、平面視ドーナツ型である請求項２に記載の作業模型固定セット。
【請求項４】
上記作業模型のディンプルは、ベース部側面の対向する２箇所に設けられ、上記固定具は、基板上面から上方に向かい延び、上端が屈曲してディンプルに差し込み可能なＬ字片と、基板上面から上方に向かい延び、中心に空隙を有するゲート部と、可撓部を介して前記基板に連結され、前記ゲート部の中空部を通して前記ディンプルに差し込み可能な差込片とを有する請求項１から３のいずれかに記載の作業模型固定セット。
【請求項５】
上記作業模型の歯型部にピンを固定し、上記ベース部にピンを挿入する挿入孔を設け、前記挿入孔に前記ピンを挿入した場合に、ピンの先端が露出するように、ベース部裏面に凹所を設けた請求項１から４のいずれかに記載の作業模型固定セット。
【請求項６】
請求項１から５のいずれかに記載の歯科技工用作業模型。
【請求項７】
請求項１から５のいずれかに記載の固定具。
【考案の詳細な説明】
【技術分野】
【０００１】
この考案は、咬合器に装着する固定具と、その固定具を介して咬合器に固定される作業模型と、これら固定具と作業模型からなる作業模型固定セットに関する。
【背景技術】
【０００２】
図６に従来の咬合器３０の一例を示す。この咬合器３０は、基台３１と、アーム３２とからなり、基台は、Ｕ字型の支持部３１ａと、その両端から起立する支柱３１ｂとを有し、Ｕ字型のアーム３２は、ピンを介して支柱３１ｂの上端に回動可能に連結されている。また、支柱３１ｂの中間には、咬合調整のためのスプリングが設けられている。
【０００３】
このような咬合器（南加大咬合器）３０は、構造が簡単で丈夫であり、また安価であることから特に使用の頻度が高い。
【０００４】
この咬合器３０を使用する際には、図７のように、基台３１の支持部３１ａに歯形部１１とベース部１２とからなる作業模型１０を固定し、アーム３２に対合歯模型４０を固定し、アーム３２を回動させて適宜噛み合わせを見つつ、作業模型１０の技工作業を行うこととなる。
【０００５】
この場合、図示のように、従来は作業模型１０のベース部１２と、咬合器３０の支持部３１ａとを石膏５０で固めることにより作業模型１０を咬合器３０へ固定していた。このような作業は、手間がかかり、また、咬合器１０を使用する都度石膏が必要であるため、無駄が多かった。さらに、作業模型１０を取り外すのも非常に手間がかかり、その上、咬合器３０や作業模型１０に付着した石膏を除去するのも大変であった。
【０００６】
上記した問題を解決するため、特許文献１に、咬合器の支持部に係合する基板と、基板の両端からほぼ垂直に延びる弾性の押圧板とからなる平面視コの字型の固定具を装着し、この固定具の押圧板で、作業模型を挟み込んで固定する技術が開示されている。このような固定具を用いれば、石膏が要らないため無駄がなく、また、簡単に固定作業を行えるため、手間がかからない。
【０００７】
しかし、このように作業模型を固定具の押圧板で挟み込んでしまう場合、作業模型の歯型部側面に押圧板が覆い被さるため、歯科技工作業の邪魔になる問題がある。また、挟み込みによる固定では、作業模型がしっかりと固定されないため、作業模型や咬合器に衝撃が加わると、作業模型が最初の固定位置からずれてしまい、咬合状態の確認に支障をきたす恐れがある。
【特許文献１】実用新案登録第３１０３５６９号公報
【考案の開示】
【考案が解決しようとする課題】
【０００８】
そこで、この考案は、石膏を用いず、簡単に作業模型の咬合器への確実な固定を可能とし、しかも歯科技工作業を円滑に遂行することのできる技術を提供することをその課題とする。
【課題を解決するための手段】
【０００９】
上記した課題を解決するため、この考案は、歯科技工用作業模型と、咬合器に装着して前記作業模型を咬合器に固定する固定具とからなる作業模型固定セットにおいて、作業模型は歯型部とベース部とからなり、ベース部にディンプルを設け、固定具は、咬合器への装着手段を有する基板と、作業模型のディンプルに差し込んで固定する差込固定手段とを有することとしたのである。
【００１０】
このようにして、咬合器に装着した固定具の差込固定手段を作業模型のディンプルに差し込むことにより、石膏を用いず、簡単に作業模型を咬合器に固定することができる。差込による固定のため、外部から衝撃が加わっても、固定位置がずれる心配はない。さらに、ディンプルはベース部側面に設けられているため、固定具の差込固定手段が歯型部に覆い被さらず、歯科技工作業の邪魔になることがない。
【００１１】
固定具の基板が一対の上下板に分割されるものとし、その一方または双方に爪を設け、他方または双方の対応する位置にスリットを設け、咬合器の基台の支持部またはアームを上下から挟み込んで爪をスリットに係合すると、固定具の咬合器への装着が簡単におこなうことができる。しかも、構造が簡単であるため、頑丈である。
【００１２】
上記基板は、平面視がＵ字型をしている咬合器の基台の支持部に対応させて、平面視ドーナツ型に形成すると、固定具を咬合器に装着した場合において、咬合器の下方から指を入れて直接作業模型に触れることができるため、固定具が歯科技工作業の障害にならない。
【００１３】
作業模型のディンプルは、ベース部側面の対向する２箇所に設け、この２箇所で固定するのが簡易であり、固定が解除されにくい。これに対応させて、固定具には、基板上面から上方に向かい延び、上端が屈曲したＬ字片と、基板上面から上方に向かい延び、中心に空隙を有するゲート部と、可撓部を介して前記基板に連結された差込片とを設け、前記ディンプルの一方にＬ字片を差し込み、ディンプルの他方にゲート部の中空部を通して差込片を差し込むと、簡単な構造で、作業模型をしっかり固定することができる。
【００１４】
作業模型の歯型部にピンを固定し、ベース部にピンを挿入する挿入孔を設け、ベース部裏面に凹所を設けて、挿入孔に前記ピンを挿入した場合に、ピンの先端が露出するようにすると、ベース部裏面からピンの先端を押すと、歯型ブロックがベース部から浮き上がるため、簡単に取り外すことができ歯科技工作業の能率が上がる。
【考案の効果】
【００１５】
この考案にかかる作業模型固定セットを上述したように構成したので、石膏を用いず、簡単に作業模型の咬合器への固定を可能とし、しかも歯科技工作業を円滑に遂行することができるという効果を奏する。
【考案を実施するための最良の形態】
【００１６】
以下、図面を参照しつつこの考案の実施形態について説明する。
【００１７】
まずこの考案にかかる歯科技工用作業模型１０について説明する。図１（ａ）のように、この作業模型１０は、患者の歯型をかたどった歯型部１１と、歯型部１１を支持するベース部１２とからなる。図示のように、歯型部１１は、裏面が平坦に形成されると共に、適宜間隔をおいて孔が穿たれ、この孔にダウエルピン１１ａが圧入され接着されている。そして図１（ｂ）のように、歯冠修復物等を製作する技工作業の対象となる歯の両側を石膏ノコギリで切断し、歯型ブロック１１ｂを切り出して、歯型部１１の他の部分から分離可能としている。
【００１８】
また、図１（ａ）のように、ベース部１２は、平面視勾玉状の形状をしており、表裏面がほぼ平坦に形成されている。そして、ベース部１２の側面の長手方向の両端部には、ディンプル１２ａが対向して２つ設けられている。また、ベース部１２の裏面は外縁を除いて窪んでおり、凹所１２ｂを形成している。また、ベース部１２の表裏面を貫通して、上述した作業模型１１のダウエルピン１１ａを挿入するための孔が設けられている。
【００１９】
作業模型１０を以上のように形成し、歯型部１１とベース部１２とを結合すると、図１（ｃ）のように、歯型部１１のダウエルピン１１ａの先端が、ベース部１２裏面の凹所１２ｂから露出する。そのため、ベース部１２の製作時に石膏が固化して、歯型部１１とベース部１２が固着してしまった場合においても、図示のように、ダウエルピン１１ａの先端をベース部１２の凹所１２ｂに指を入れて押すと、技工作業の対象となる歯型ブロック１１ｂが浮き上がって、簡単に取り外すことができる。
【００２０】
この作業模型１０を製作するには、シリコンゴム等からなる図２のような、底壁と底壁周縁から立ち上がる周壁とからなる成形枠１３を用いる。図示のように、底壁と周壁とで囲まれた部分は平面視勾玉型の成形凹所１３ａを形成する。そして、この成形凹所１３ａと平面視が相似形でやや寸法の小さな、発泡スチロール等の多孔質材からなる板状の中敷１４を成形凹所１３ａ底面に敷き、ついで、成形凹所１３ａに石膏ペーストを注入し、そこに裏面にダウエルピン１１ａを圧入接着した別途製作の歯型部１１のダウエルピン１１ａを押し込む。石膏ペーストが硬化した後に成形枠１３から取り出すと、石膏からなるベース部１２が形成されており、このベース部１２に歯型部１１のダウエルピン１１ａが差し込まれていることにより、表裏面を貫通する孔が形成される。
【００２１】
さらに、図３のように、成形枠１３の成形凹所１３ａ側面には、その長手方向の両端の２箇所に対向して内側に向かう凸部１３ｂが設けられているため、ベース部１２の長手方向両端には、ディンプル１２ａが形成される。そして中敷１４の部分は底面が上げ底されているため、ベース部１２の裏面には凹所１２ｂが形成される。なお、中敷１４は多孔質材で形成されているので、図示のように、ダウエルピン１１ａは突き刺さり貫通して成形枠１３の底壁に突き当たるため、ベース部１２成形時に歯型部１１がベース部１２から浮き上がることはない。なお、成形凹所１３ａ底面には、中敷１４の位置が石膏ペーストの注入の際にずれないように、中敷１４の輪郭にほぼ対応した環状リブを設けておき、この中に中敷をはめ込んでおくとよい。
【００２２】
次に、この考案にかかる固定具２０について説明する。図４のように、この固定具２０は、一対の平面視ドーナツ状に形成された上板２１と下板２２とからなる。この上板２１と下板２２とは、重ね合わせた場合に中空になるように形成されている。すなわち、図示のように、上板２１は全体としてはほぼ平坦であるが、その周縁は下方に向かい垂下し、下板２２は全体としてはほぼ平坦であるが、その周縁は上方に向かい起立しているため、上板２１と、下板２２を重ね合わせた際には、その周縁が当接するため、中空となるのである。
【００２３】
また、図示のように、上板２１の前部からは、上方に向かいＬ字片２１ａが延びており、上板２１の後部からは、上方に向かい中空のゲート部２１ｂが延びている。そして、上板２１の周縁下端には、爪２１ｃが複数設けられている。さらに、図示のように、下板２２の周縁上端の上記爪２１ｃと対応する位置には、スリット２２ａが設けられており、下板２２の後部には、弾性素材からなる可撓部２２ｂを介して、差込片２２ｃが連結されている。この固定具２０は軟質合成樹脂からなるため、厚みを薄くすることで可撓部２２ｂが形成されている。
【００２４】
このような固定具２０を上述した咬合器（南加大咬合器）３０に装着する際には、図示のように、咬合器３０の基台３１の支持部３１ａを上下から上板２１と下板２２とで挟み込む。この状態で、上下から押圧すると、上板２１の爪２１ｃが、下板２２のスリット２２ａに係合することで、上板２１および下板２２が一体化し、同時に咬合器３０に固定具２０が装着される。
【００２５】
こうして図５（ａ）に示すように、固定具２０が装着された咬合器３０に、作業模型１０を固定するには、以下の手順を踏む。
【００２６】
すなわち、まず、図５（ｂ）のように、作業模型１０を咬合器３０前方側に傾斜させて、ベース部１２に設けられた一方のディンプル１２ａに、固定具２０のＬ字片２１ａ先端を差し込む。
ついで、図５（ｃ）のように、作業模型１０を咬合器３０後方側に向けて傾斜させて、固定具２０の上板２１に作業模型１０のベース部１２裏面を当接させる。それと同時に、可撓部２２ｂを撓ませて、差込片２２ｃを固定具２０のゲート部２１ｂの中空部分に通して、他方のディンプル１２ａに差し込む。
このようにして、簡単に、図５（ｄ）のように、咬合器３０に作業模型１０が固定される。この場合、ディンプル１２ａにＬ字片２１ａおよび差込片２２ｃが差し込まれているため、外部から衝撃が加えられても、作業模型１０の固定位置が変化することはない。また、図示のように固定状態においては、作業模型１０の歯型部１１は完全に露出しているため、固定具２０が歯科技工作業の妨げになることはない。
【００２７】
上述した実施形態においては、固定具２０の作業模型１０を固定する手段として、Ｌ字片２１ａと差込片２２ｃとを用いたが、これに限られず、作業模型１０のディンプル１２ａに差し込んで固定するあらゆる手段を採用することができる。
【００２８】
例えば、固定具の上面に、その周縁から立ち上がる周壁を設け、上面と周壁とで囲まれる凹所に作業模型１０のベース部１２が入り込むと共に、前記周壁にねじ孔を設け、このねじ孔にボルトを螺合し、ボルトのねじ込み操作により、ベース部１１のディンプル１２ａにボルトの先端が差し込まれることで作業模型１０を固定するものがある。
【００２９】
また他の例としては、ボルトとねじ孔に代えて、クサビと、周壁に設けたクサビ先端を差し込む差込孔とを用いて、クサビを差込孔に打ち込んでゆき、クサビ先端がベース部１１のディンプル１２ａに差し込まれることで作業模型１０を固定するものがある。
【００３０】
さらに他の例としては、周壁に設けられた差込孔に差込片がラチェット式に係合しており、この差込片を進退操作させることで、ディンプル１２ａに差し込んで固定するものがある。
【００３１】
さらに他の例としては、周壁に板ばね等の弾性部材を突出させて設けておき、この弾性部材がベース部１２のディンプル１２ａにはまり込むことで作業模型１０を固定するものがある。
【００３２】
なお、ディンプル１２ａは、個数は２つに限られず、位置はベース部１２側面に限られず、裏面に設けてもよく、その場合には、固定具２０の差込固定手段も、適宜ディンプル１２ａに対応する数および位置で設けられる。また、上記した各例を併用しても構わないことは無論である。また、ベース部１２の形状も上述したものに限られず、当然それに対応して、成形枠１３の形状も、この実施形態に限られない。
【図面の簡単な説明】
【００３３】
【図１】（ａ）は作業模型の斜視図、（ｂ）は作業模型の歯型ブロックを切り出した斜視図、（ｃ）は歯型ブロックをベース部から抜き取った状態の正面図
【図２】歯型部、中敷、成形枠の分解斜視図
【図３】作業模型のベース部製作時の成形枠の縦断面図
【図４】咬合器、固定具の分解斜視図
【図５】（ａ）は咬合器に固定具を装着した状態の正面図、（ｂ）、（ｃ）、（ｄ）はそれに対する作業模型の取り付け手順を示す正面図
【図６】咬合器の斜視図
【図７】咬合器に作業模型および対合歯模型を固定した状態の正面図
【符号の説明】
【００３４】
１０  作業模型
１１  歯型部
１１ａ  ダウエルピン
１１ｂ  歯型ブロック
１２  ベース部
１２ａ  ディンプル
１２ｂ  凹所
１３  成形枠
１３ａ  成形凹所
１３ｂ  凸部
１４  中敷
２０  固定具
２１  上板
２１ａ  Ｌ字片
２１ｂ  ゲート部
２１ｃ  爪
２２  下板
２２ａ  スリット
２２ｂ  可撓部
２２ｃ  差込片
３０  咬合器
３１  基台
３１ａ  支持部
３１ｂ  支柱
３２  アーム
４０  対合歯模型
５０  石膏
【図１】
0003118467.tif 000003
【図２】
0003118467.tif 000004
【図３】
0003118467.tif 000005
【図４】
0003118467.tif 000006
【図５】
0003118467.tif 000007
【図６】
0003118467.tif 000008
【図７】
0003118467.tif 000009